(57)【要約】【課題】別々に設定が行われる画像形成装置と用紙処理装置を連結した場合でも、用紙処理装置にて適切な用紙処理を行わせることを可能とする。【解決手段】画像が形成された用紙に対して、所定の用紙処理に関する事前設定に基づいて所定の用紙処理を行う第２の用紙処理装置２００に接続される画像形成装置１０において、制御部２０は、所定の用紙処理を実行するジョブ中、用紙サイズの変化に関連する用紙サイズ関連情報を取得し、取得された用紙サイズ関連情報に基づいて、事前設定の再設定が必要か否かを判断し、事前設定の再設定が必要と判断された場合、ジョブの実行を中断した状態で、所定の用紙処理がなされる前の用紙をサンプルとしてサブトレイに排出させる。【選択図】図２
2015174436.tif 000002
【特許請求の範囲】
【請求項１】
画像が形成された用紙に対して、所定の用紙処理に関する事前設定に基づいて前記所定の用紙処理を行う用紙処理装置に接続される画像形成装置において、
前記所定の用紙処理を実行するジョブ中、用紙サイズの変化に関連する用紙サイズ関連情報を取得する取得手段と、
前記取得手段により取得された用紙サイズ関連情報に基づいて、前記事前設定の再設定が必要か否かを判断する再設定判断手段と、
前記再設定判断手段により前記事前設定の再設定が必要と判断された場合、前記ジョブの実行を中断した状態で、前記所定の用紙処理がなされる前の用紙をサンプルとして排出部に排出させるサンプル排出手段と、
を備えることを特徴とする画像形成装置。
【請求項２】
前記再設定判断手段により前記事前設定の再設定が必要と判断された場合、ユーザーに前記サンプルの排出の有無を選択させる選択部を備え、
前記サンプル排出手段は、前記選択部になされた指示に応じて前記排出部に前記サンプルを排出させることを特徴とする請求項１に記載の画像形成装置。
【請求項３】
前記サンプル排出手段による前記排出部への前記サンプルの排出後、ユーザーに前記事前設定の再設定を促す表示を行う表示部を備えることを特徴とする請求項１又は２に記載の画像形成装置。
【請求項４】
前記取得手段は、
前記用紙サイズ関連情報として、使用していた給紙トレイが開放されたことを示す給紙トレイ開放情報、又は使用していた給紙トレイの用紙が無くなったことを示す用紙切れ情報を取得することを特徴とする請求項１〜３の何れか一項に記載の画像形成装置。
【請求項５】
前記取得手段は、
前記用紙サイズ関連情報として、温度及び湿度の少なくとも一方に規定以上の変化があったことを示す環境変化情報を取得することを特徴とする請求項１〜４の何れか一項に記載の画像形成装置。
【請求項６】
前記取得手段は、
温度及び湿度の値に所定の重みづけをした値を算出し、前記算出した値が予め設定された所定値以上であるか否かを判断することで前記環境変化情報を取得することを特徴とする請求項５に記載の画像形成装置。
【請求項７】
前記取得手段は、
前記算出した値が予め設定された所定値以上であり、且つ用紙の坪量及び種類が所定の条件を満たすか否かを判断することで前記環境変化情報を取得することを特徴とする請求項６に記載の画像形成装置。
【請求項８】
前記サンプル排出手段は、
実行中の前記ジョブの部の区切りにおいて、前記排出部に前記サンプルを排出させることを特徴とする請求項１〜７の何れか一項に記載の画像形成装置。
【請求項９】
前記取得手段は、前記用紙サイズ関連情報として、使用していた給紙トレイの用紙が次の部で無くなることを示す用紙切れ予測情報を取得し、
前記取得手段により前記用紙切れ予測情報が取得された場合、実行中の前記ジョブの部の区切りにおいて給紙トレイを切り替える切り換え手段を備え、
前記サンプル排出手段は、前記切り換え手段により給紙トレイが切り替えられる際、前記排出部に前記サンプルを排出させることを特徴とする請求項８に記載の画像形成装置。
【請求項１０】
請求項１〜９の何れか一項に記載の画像形成装置と、
前記画像形成装置によって画像が形成された用紙に対して前記所定の用紙処理を行う用紙処理装置と、
を備えた画像形成システムにおいて、
前記用紙処理装置は、
前記所定の用紙処理に関する事前設定を行う設定手段を備えることを特徴とする画像形成システム。
【請求項１１】
前記設定手段は、前記事前設定の再設定を受け付け、
前記用紙処理装置は、
前記設定手段により受け付けた前記事前設定の再設定の値と前回の値とを比較し、その差異が予め設定された所定値より少ない場合、前記ジョブの継続を決定する比較手段を更に備えることを特徴とする請求項１０に記載の画像形成システム。
【請求項１２】
所定の用紙処理に関する事前設定に基づいて画像が形成された用紙に対して前記所定の用紙処理を行う用紙処理装置に接続される画像形成装置においてなされる画像形成方法であって、
前記所定の用紙処理を実行するジョブ中、用紙サイズの変化に関連する用紙サイズ関連情報を取得する取得工程と、
前記取得工程により取得された用紙サイズ関連情報に基づいて、前記事前設定の再設定が必要か否かを判断する再設定判断工程と、
前記再設定判断工程により前記事前設定の再設定が必要と判断された場合、前記ジョブの実行を中断した状態で、前記所定の用紙処理がなされる前の用紙をサンプルとして排出部に排出させるサンプル排出工程と、
を有することを特徴とする画像形成方法。
【請求項１３】
コンピューターを、
所定の用紙処理を実行するジョブ中、用紙サイズの変化に関連する用紙サイズ関連情報を取得する取得手段、
前記取得手段により取得された用紙サイズ関連情報に基づいて、前記事前設定の再設定が必要か否かを判断する再設定判断手段、
前記再設定判断手段により前記事前設定の再設定が必要と判断された場合、前記ジョブの実行を中断した状態で、前記所定の用紙処理がなされる前の用紙をサンプルとして排出部に排出させるサンプル排出手段、
として機能させることを特徴とするプログラム。
【発明の詳細な説明】
【技術分野】
【０００１】
本発明は、画像形成装置、画像形成システム、画像形成方法、及びプログラムに関する。
【背景技術】
【０００２】
従来から、画像形成装置に対して用紙処理装置を接続することで、画像が形成された用紙に対して中綴じ処理等の用紙処理をインラインで行うことが可能となっている。
このように、画像形成装置及び用紙処理装置からなる画像形成システムにおいては、利用者の作業性の向上のために様々な提案がなされてきた。例えば、出力の途中に用紙切れが発生した場合に給紙トレイを自動的に切り替えるＡＴＳ（Auto Tray Select）機能など（例えば、特許文献１参照）が知られている。
【０００３】
ところで、画像形成装置と用紙処理装置との間で情報共有できない場合では、ジョブを開始する際に、画像形成装置にジョブの設定をする他に、用紙処理装置に対しても、例えば、用紙処理を行う用紙のサイズや用紙束の厚み等の用紙設定を個別にする必要がある。
【先行技術文献】
【特許文献】
【０００４】
【特許文献１】特開２０００−１４３０１７号公報
【発明の概要】
【発明が解決しようとする課題】
【０００５】
しかしながら、ジョブを開始する際に一旦用紙設定がされてしまうと、ジョブ途中で、例えばＡＴＳ機能などにより用紙ロットが切り替わる等の要因で用紙サイズが変更された場合であっても、用紙処理装置に用紙設定をし直すことができず、このような用紙サイズの変動に対応できず、適切な用紙処理が行われないという問題があった。
【０００６】
本発明は、別々に設定が行われる画像形成装置と用紙処理装置を連結した場合でも、用紙処理装置にて適切な用紙処理を行わせることを可能とすることを目的としている。
【課題を解決するための手段】
【０００７】
上記課題を解決するため、本発明の一態様によれば、
画像が形成された用紙に対して、所定の用紙処理に関する事前設定に基づいて前記所定の用紙処理を行う用紙処理装置に接続される画像形成装置において、
前記所定の用紙処理を実行するジョブ中、用紙サイズの変化に関連する用紙サイズ関連情報を取得する取得手段と、
前記取得手段により取得された用紙サイズ関連情報に基づいて、前記事前設定の再設定が必要か否かを判断する再設定判断手段と、
前記再設定判断手段により前記事前設定の再設定が必要と判断された場合、前記ジョブの実行を中断した状態で、前記所定の用紙処理がなされる前の用紙をサンプルとして排出部に排出させるサンプル排出手段と、
を備えることを特徴とする。
【０００８】
また、本発明の他の態様によれば、
前記した画像形成装置と、
前記画像形成装置によって画像が形成された用紙に対して前記所定の用紙処理を行う用紙処理装置と、
を備えた画像形成システムにおいて、
前記用紙処理装置は、
前記所定の用紙処理に関する事前設定を行う設定手段を備えることを特徴とする。
【０００９】
また、本発明の他の態様によれば、
所定の用紙処理に関する事前設定に基づいて画像が形成された用紙に対して前記所定の用紙処理を行う用紙処理装置に接続される画像形成装置においてなされる画像形成方法であって、
前記所定の用紙処理を実行するジョブ中、用紙サイズの変化に関連する用紙サイズ関連情報を取得する取得工程と、
前記取得工程により取得された用紙サイズ関連情報に基づいて、前記事前設定の再設定が必要か否かを判断する再設定判断工程と、
前記再設定判断工程により前記事前設定の再設定が必要と判断された場合、前記ジョブの実行を中断した状態で、前記所定の用紙処理がなされる前の用紙をサンプルとして排出部に排出させるサンプル排出工程と、
を有することを特徴とする。
【００１０】
また、本発明の他の態様によれば、
コンピューターを、
所定の用紙処理を実行するジョブ中、用紙サイズの変化に関連する用紙サイズ関連情報を取得する取得手段、
前記取得手段により取得された用紙サイズ関連情報に基づいて、前記事前設定の再設定が必要か否かを判断する再設定判断手段、
前記再設定判断手段により前記事前設定の再設定が必要と判断された場合、前記ジョブの実行を中断した状態で、前記所定の用紙処理がなされる前の用紙をサンプルとして排出部に排出させるサンプル排出手段、
として機能させることを特徴とするプログラムである。
【発明の効果】
【００１１】
本発明によれば、別々に設定が行われる画像形成装置と用紙処理装置を連結した場合、ジョブ途中で用紙処理装置の再設定が必要となった際に、ジョブの実行が中断された状態でサンプルが排出されるので、用紙処理装置に用紙設定をし直すことが可能となって、用紙処理装置に適切な用紙処理を行わせることが可能となる。
【図面の簡単な説明】
【００１２】
【図１】実施形態における画像形成システムの構成を示す図である。
【図２】実施形態における画像形成システムの電気的構成を示す図である。
【図３】実施形態における制御手順を示すフローチャートである。
【図４】実施形態における制御手順を示すフローチャートである。
【図５】実施形態における制御手順を示すフローチャートである。
【図６】ユーザーにサンプルの排出の有無を選択させるダイアログの一例である。
【図７】ユーザーにサンプルの再計測を促すダイアログの一例である。
【発明を実施するための形態】
【００１３】
以下、図面を参照しながら本発明の実施の形態について説明する。
【００１４】
図１は、本実施の形態における画像形成システムを示す図である。
【００１５】
画像形成システム１は、画像形成装置１０に、第１の用紙処理装置１００が接続され、第１の用紙処理装置１００に対してさらに第２の用紙処理装置２００が接続されている。
【００１６】
本実施形態において、第２の用紙処理装置２００としては、例えば、接続先の画像形成装置或いは用紙処理装置との情報通信が制限される用紙処理装置が利用可能である。
例えば、接続先の画像形成装置或いは用紙処理装置のメーカーと異なるメーカーが製造した用紙処理装置は、これに該当することがある。
また、本実施形態において、第２の用紙処理装置２００は、接続先の画像形成装置或いは用紙処理装置とは別に、ジョブ開始前に、用紙処理に関する事前設定としてその用紙処理がなされる予定の用紙のサイズ（縦横の寸法）や、用紙束の厚さなどが設定され、その設定値が用紙処理の動作に反映される構成である。
ここで、用紙処理がなされる予定の用紙（用紙束）は、ジョブ開始前にサンプルとして排出され、ユーザーがそのサンプルを計測して第２の用紙処理装置２００に対して入力することで、設定がなされる。
【００１７】
画像形成装置１０は、本体部１０Ａとプリントコントローラー１０Ｂとを備える。
【００１８】
本体部１０Ａは、プリント部１１、給紙部１２、操作表示部１３を備える。
【００１９】
プリント部１１は、例えば、電子写真方式により用紙に画像を形成するための公知の構成を備える。画像形成の方式としては電子写真方式に限られるものではない。
【００２０】
給紙部１２は、複数枚の用紙を収納し、１枚ずつ用紙を給紙してプリント部１１へ搬送する。給紙部１２は、複数の給紙トレイを備え、各給紙トレイには、サイズや種類ごとに分類された用紙の束が格納されている。
また、給紙部１２は、印刷出力の途中に用紙切れが発生した場合に給紙トレイを自動的に切り替える自動トレイ切替（ＡＴＳ：Auto Tray Select）機能を有している。給紙トレイを切り替える際の優先順位は、予め設定されている。
給紙部１２は、給紙トレイの切り替えや給紙トレイの開放に応じ、電気信号を制御部２０に出力する。
【００２１】
操作表示部１３は、表示部と操作部とを備え、操作部においてはユーザーの操作を受け付け、表示部には必要な情報が表示される。図示していないが、画像形成装置１０にネットワーク等により接続された外部端末において上記情報を表示させ、また、外部端末からユーザーの操作を受け付けるようにしても良い。
【００２２】
プリントコントローラー１０Ｂは、本体部１０Ａに接続されている。プリントコントローラー１０Ｂは、操作表示部１３や外部端末において入力された情報に応じて、本体部１０Ａの動作を制御する。プリントコントローラー１０Ｂは、図示のとおり、本体部１０Ａと別体となって接続されていても良いし、本体部１０Ａにその機能が組み込まれていても良い。
【００２３】
画像形成装置１０による画像形成としては、画像形成装置１０内に保存された、或いは、ネットワークを介して外部の装置より受信した画像ファイルや文書ファイル等に基づいて行われる場合や、原稿画像を読み取ることにより行われる場合がある。図示していないが、画像形成装置１０には、画像形成の対象となる原稿上の画像を光学的に読み取る読取部が設けられていても良い。
【００２４】
給紙部１２により給紙された用紙は、プリント部１１へ搬送され、印刷データに基づいて画像形成がなされる。画像が形成された用紙は、排出ローラー１４により本体部１０Ａから排出され、第１の用紙処理装置１００の機内へ送られる。
【００２５】
本実施の形態における第１の用紙処理装置１００は、画像形成後の用紙を積載するラージスタッカーとしての機能を備える。第１の用紙処理装置１００は、搬入ローラー１０１、分岐部１０２、サブトレイ１０３、大容量スタッカー１０４、搬出ローラー１０５等を備える。
【００２６】
画像形成装置１０の本体部１０Ａから排出された用紙は、搬入ローラー１０１により第１の用紙処理装置１００内に搬入される。搬入された用紙は、分岐部１０２により搬送路ａ、ｂ、ｃのいずれかの搬送路に誘導される。
【００２７】
搬送路ａは、分岐部１０２から図１の水平方向へ延びる搬送路であり、用紙を第２の用紙処理装置２００へ搬送する搬送路である。第２の用紙処理装置２００による用紙処理が行われる用紙は、分岐部１０２の誘導により、搬送路ａを搬送され、搬出ローラー１０５により、第２の用紙処理装置２００へと搬送される。
【００２８】
搬送路ｂは、分岐部１０２から図１の左上方向へ延びる搬送路であり、用紙をサブトレイ１０３へ排出するための搬送路である。サブトレイ１０３へ排出される用紙は、分岐部１０２の誘導により、搬送路ｂを搬送される。このサブトレイ１０３は、排出部として、例えば、用紙処理がなされる予定の用紙（用紙束）がサンプルとして排出されるトレイである。
【００２９】
搬送路ｃは、分岐部１０２から図１の左下方向へ延びる搬送路であり、用紙を大容量スタッカー１０４へ排出するための搬送路である。大容量スタッカー１０４へ排出される用紙は、分岐部１０２の誘導により、搬送路ｃを搬送される。
【００３０】
本実施の形態における第２の用紙処理装置２００は、複数枚の用紙に対して中綴じ処理を行う機能を有する用紙処理装置である。第２の用紙処理装置２００は、搬入ローラー２０１、分岐部２０２、中綴じ処理部２０３、スタッカー２０４、排出トレイ２０５、操作表示部２０６等を備える。
【００３１】
第１の用紙処理装置１００から排出された用紙は、搬入ローラー２０１により第２の用紙処理装置２００内に搬入される。搬入された用紙は、分岐部２０２により搬送路ｄ、ｅのいずれかの搬送路に誘導される。
【００３２】
搬送路ｄは、分岐部２０２から図１の左下方向に延びる搬送路であり、用紙を中綴じ処理部２０３に搬送し、中綴じ処理がなされた用紙をさらにスタッカー２０４へ搬出すべく搬送する搬送路である。中綴じ処理部２０３の構成の詳細説明は省略するが、中綴じ処理部２０３においては、搬送された用紙束の中央部の所定の位置にステープル処理が行われるとともに、当該中央部にて用紙束が二つ折りにされる。中綴じ処理がなされた用紙束は、スタッカー２０４へ排出される。
【００３３】
搬送路ｅは、分岐部２０２から図１の水平方向に延びる搬送路であり、用紙を排出トレイ２０５に排出するための搬送路である。
【００３４】
操作表示部２０６は、操作部２０６ａと表示部２０６ｂとを備え、操作部２０６ａにおいてはユーザーの操作を受け付け、表示部２０６ｂには必要な情報が表示される。
【００３５】
操作部２０６ａは、各種キーを備え、ユーザーからの操作を受け付ける。操作部２０６ａは、例えば、ユーザーが、所定の用紙処理の事前設定としてサンプルの計測結果を入力する場合に利用される。
サンプルの計測結果とは、例えば、用紙のサイズ（用紙の縦幅、横幅）、用紙束の厚み等をユーザーが計測した値である。
【００３６】
表示部２０６ｂは、第２の用紙処理装置２００においてなされる用紙処理に関する情報を表示する。表示部２０６ｂは、例えば、ユーザーが入力したジョブのサンプルの計測結果を表示する。
【００３７】
なお、第１の用紙処理装置１００及び第２の用紙処理装置２００は、上記において説明した機能とは別の機能を有する用紙処理装置であっても良い。
【００３８】
図２は、本実施の形態における画像形成システム１の電気的構成を示すブロック図である。図１において説明済みの構成については、図１と同一の符号を付し、その詳細な説明は省略する。
【００３９】
画像形成装置１０の本体部１０Ａは、プリント部１１、操作表示部１３、制御部２０、シリアル通信部２１、画像データ記憶部２２、搬送部２３、記憶部２４、プリントコントローラー通信部２５、温湿度センサー２６等を備える。
【００４０】
制御部２０は、各部から各種信号を受信するとともに、本体部１０Ａの各部の動作を制御するべく、指示を発する。
【００４１】
シリアル通信部２１は、シリアル通信により第１の用紙処理装置１００と情報の送受信を行う。本実施の形態において第１の用紙処理装置１００は、画像形成装置１０とシリアル通信が可能な用紙処理装置であることとする。
【００４２】
画像形成装置１０は、シリアル通信部２１を介して、第１の用紙処理装置１００と種々の情報の送受信を行う。主な情報としては、第１の用紙処理装置１００の種類、排出ローラー１４からの排紙情報、異常発生情報、第１の用紙処理装置１００のステータス、等が挙げられる。
【００４３】
用紙処理装置の種類については、例えば画像形成装置１０の操作表示部１３において、用紙処理装置の名称や型番等をユーザー等が入力する構成としても良い。
【００４４】
また、第１の用紙処理装置１００が、用紙に対して用紙処理を行うものである場合は、さらに、第１の用紙処理装置１００においてなされる用紙処理についての設定情報等のやり取りもなされる。設定情報としては、用紙サイズ、紙種、斤量、用紙処理パラメーター等が挙げられる。画像形成装置１０においてジョブが入力された場合に、ジョブに含まれる上記設定情報を、シリアル通信部２１を介して第１の用紙処理装置１００へ送信することで、第１の用紙処理装置１００においては、受信した設定情報に基づいて第１の用紙処理装置１００各部の動作の制御がなされ、用紙に対して所望の用紙処理がなされる。
【００４５】
画像データ記憶部２２は、例えばハードディスクドライブ（ＨＤＤ）からなり、画像形成の対象となり得る画像データや文書データ等の各種のデータが記憶される。
【００４６】
搬送部２３は、給紙部１２により給紙された用紙を、給紙部１２からプリント部１１へ、さらに、プリント部１１から第１の用紙処理装置１００へと搬送する。
【００４７】
記憶部２４は、実行指示がなされたジョブに関する情報を記憶する部分である。ジョブに関する情報とは、例えば、用紙処理の種類（例えば、製本処理など）、サンプル出力の要否、用紙処理に関する各種パラメーター等である。記憶部２４においては、画像形成装置１０に接続されている用紙処理装置毎に領域を分けて、ジョブに関する情報を格納させるよう構成することが可能である。
【００４８】
プリントコントローラー通信部２５は、プリントコントローラー１０Ｂと情報の送受信を行う部分である。
【００４９】
温湿度センサー２６は、画像形成装置１０の機内の温度及び湿度を検知する。温湿度センサー２６は、機内の温度及び湿度に応じた電気信号を制御部２０に出力する。
【００５０】
第１の用紙処理装置１００は、分岐部１０２、第１の用紙処理装置制御部１１０、シリアル通信部１１１、記憶部１１２、サブトレイ排出部１１３、パラレル通信部１１４、スタッカー積載部１１５、搬送部１１６を備える。
【００５１】
第１の用紙処理装置制御部１１０は、各部から信号を受信するとともに、第１の用紙処理装置１００内の各部の動作を制御する。
【００５２】
シリアル通信部１１１は、シリアル通信により画像形成装置１０と情報の送受信を行う。
【００５３】
記憶部１１２には、各種情報が記憶される。例えば、画像形成装置１０より送信される用紙サイズ等の情報に対応付けられた、用紙処理装置の各部の移動量を示すテーブル等が記憶される。
【００５４】
サブトレイ排出部１１３は、分岐部１０２により搬送路ｂへ振り分けられ、搬送された用紙を、サブトレイ１０３に排出する。
【００５５】
パラレル通信部１１４は、パラレル通信により、第２の用紙処理装置２００との間で情報の送受信を行う。本実施の形態において、第２の用紙処理装置２００は、例えば画像形成装置１０及び第１の用紙処理装置１００とは異なる製造元による装置である等により、第１の用紙処理装置１００とシリアル通信を行うことが不可能な用紙処理装置であるとする。
【００５６】
シリアル通信によれば、大容量の信号の送受信が可能であるため、ジョブの実行時に、上記ジョブに関する情報や用紙処理のパラメーター等の情報まで送受信することが可能である。一方、パラレル通信では、限られた情報のみ送受信が可能である。パラレル通信により送受信可能な情報としては、用紙処理装置の種類、動作開始命令、用紙の排紙信号、用紙処理の種類、異常発生情報等、用紙処理を実行するのに不可欠な情報が主になる。
【００５７】
スタッカー積載部１１５は、分岐部１０２により搬送路ｃへ振り分けられ、搬送された用紙を、大容量スタッカー１０４に積載する。
【００５８】
搬送部１１６は、第１の用紙処理装置１００内において、用紙を搬送する。
【００５９】
第２の用紙処理装置２００は、分岐部２０２、第２の用紙処理装置制御部２１０、パラレル通信部２１１、記憶部２１４、スタック整合部２０３ａ、中綴じステープル部２０３ｂ、折り部２０３ｃ、搬送部２１２、冊子積載部２１３、操作表示部２０６等を備える。
【００６０】
第２の用紙処理装置制御部２１０は、各部から信号を受信するとともに、第２の用紙処理装置２００内の各部の動作を制御する。
【００６１】
パラレル通信部２１１は、パラレル通信により第１の用紙処理装置１００との間で情報の送受信を行う。パラレル通信により、第２の用紙処理装置２００の種類が第１の用紙処理装置１００へ送信され、最終的に画像形成装置１０へ送信される。
【００６２】
このように、複数台の用紙処理装置が接続された画像形成システムであっても、全ての用紙処理装置を特定する情報が画像形成装置１０に送信される。即ち、画像形成装置１０の制御部２０は、接続される全ての用紙処理装置を識別可能である。
【００６３】
記憶部２１４には、各種情報が記憶される。例えば、第２の用紙処理装置２００にて実行される用紙処理に関する事前情報等が記憶される。
【００６４】
スタック整合部２０３ａは、中綴じ処理部２０３において、スタック部（図示せず）に積載された用紙の整合を行う。
【００６５】
中綴じステープル部２０３ｂは、スタック整合部２０３ａにより整合された用紙束の中央部にステープル処理を行う。
【００６６】
折り部２０３ｃは、中綴じステープル部２０３ｂによりステープル処理がなされた用紙束を折る処理を行う。具体的には、用紙束を、ステープル処理がなされた位置に沿うように折り曲げることで、冊子が完成する。
【００６７】
搬送部２１２は、第２の用紙処理装置２００内において、用紙或いは用紙束を搬送する。
【００６８】
冊子積載部２１３は、中綴じ処理部２０３によって中綴じ処理がなされた用紙束を、スタッカー２０４に積載する。
【００６９】
続いて、画像形成システム１にてジョブを実行する場合の手順について説明する。
なお、本実施形態におけるジョブは、第２の用紙処理装置２００にて用紙処理される用紙と同等の用紙をサンプルとして出力し、当該サンプルを計測して計測値を入力する必要のあるジョブである。例えば、製本ジョブがこれに該当する。
【００７０】
ジョブを開始する際には、先ず、画像形成装置１０の操作表示部１３で、ジョブの設定を行う。次いで、第２の用紙処理装置２００に対して用紙処理のサンプル出力を実施し、第１の用紙処理装置１００のサブトレイ１０３に計測用のサンプルが出力されると、ユーザーは、出力されたサンプルのサイズ（用紙の縦横の寸法と用紙束の厚み）を計測し、第２の用紙処理装置２００の操作表示部２０６にて入力操作を行うことで、第２の用紙処理装置２００のジョブ（ここでは製本ジョブ）の設定を行う。
その後、ジョブが開始される。
【００７１】
本実施形態では、上記のような第２の用紙処理装置２００に対する事前設定の必要なジョブの実行中に、サンプルの再計測の要否を判断する再計測要否判断処理が実行される。
【００７２】
以下、かかる再計測要否判断処理の制御手順について、図３〜５を参照しながら説明する。
図３〜５に示す制御手順は、画像形成装置１０の制御部２０、及び第２の用紙処理装置２００の第２の用紙処理装置制御部２１０が実行する。制御部２０は、画像形成装置内のＲＯＭ（Read Only Memory：不図示）等に格納されたプログラムを、ＲＡＭ（Random Access Memory：不図示）等に展開して上記制御を実行する。また、第２の用紙処理装置制御部２１０は、第２の用紙処理装置内のＲＯＭ（不図示）等に格納されたプログラムを、ＲＡＭ（不図示）等に展開して上記制御を実行する。
なお、再計測要否判断処理の実施にあたって、第２の用紙処理装置２００にて用紙処理がなされる以前の段階の用紙或いは用紙束（サンプル）を排出可能なトレイ（本実施形態ではサブトレイ１０３）を有することが前提である。
【００７３】
図３を参照し、先ず、ステップＳ１１において、制御部２０は、所定要因（例えば、ＡＴＳの作動、給紙トレイの開放、環境変化等）で出力される電気信号を検知すると、ジョブが終了したか否かを判断し、ジョブが終了したと判断した場合（ステップＳ１１：Ｙｅｓ）、本処理を終了する。
一方、ジョブが終了していないと判断した場合（ステップＳ１１：Ｎｏ）、続くステップＳ１２において、制御部２０は、用紙サイズが切り替わったか否かを判定する第１判定処理を実行する。
【００７４】
ここで、図４に移行し、第１判定処理の制御手順について説明する。
先ず、ステップＳ１２１において、制御部２０は、ＡＴＳの作動により出力される電気信号を検知したか否かにより、ＡＴＳの作動により給紙部１２にて使用されていた給紙トレイが切り替わったか否かを判断する。
【００７５】
ＡＴＳの作動により給紙トレイが切り替わったと判断した場合（ステップＳ１２１：Ｙｅｓ）、続くステップＳ１２２において、制御部２０は、使用していた用紙トレイの用紙が無くなったことを示す用紙切れ情報を用紙サイズ関連情報として取得して、本処理を終了する。
一方、ＡＴＳの作動により給紙トレイが切り替わっていないと判断した場合（ステップＳ１２１：Ｎｏ）、続くステップＳ１２３において、制御部２０は、給紙トレイの開放により出力される電気信号を検知したか否かにより、給紙トレイが開かれたか否か判断する。
【００７６】
給紙トレイが開かれたと判断した場合（ステップＳ１２３：Ｙｅｓ）、続くステップＳ１２２において、制御部２０は、使用していた用紙トレイが開放されたことを示す給紙トレイ開放情報を用紙サイズ関連情報として取得して、本処理を終了する。
一方、給紙トレイが開かれていないと判断した場合（ステップＳ１２３：Ｎｏ）、続くステップＳ１２４において、制御部２０は、環境変化により出力される電気信号を検知したか否かにより、温度及び湿度の少なくとも一方に規定以上の変化があったか否かを判断する。
【００７７】
温度及び湿度の少なくとも一方に規定以上の変化があったと判断した場合（ステップＳ１２４：Ｙｅｓ）、続くステップＳ１２２において、制御部２０は、温度及び湿度の少なくとも一方に規定以上の変化があったことを示す環境変化情報を用紙サイズ関連情報として取得して、本処理を終了する。
ここで、環境変化情報は、例えば、温湿度センサー２６で特定した温度及び湿度の値に所定の重みづけをした値を算出し、算出した値が予め設定された所定値以上であるか否かを判断することで得られるものである。
また、算出した値が予め設定された所定値以上であり、且つ用紙の坪量及び種類が所定の条件を満たすか否かを判断することで得ることとしても良い。例えば、算出した値が予め設定された所定値以上であった場合、坪量が所定値以下ならば環境変化情報を取得するが、坪量が所定値より大きいならば環境変化情報を取得しない構成とする。又は、算出した値が予め設定された所定値以上であった場合、用紙が普通紙ならば環境変化情報を取得するが、用紙がコート紙ならば環境変化情報を取得しない構成とする。
【００７８】
一方、温度及び湿度の少なくとも一方に規定以上の変化がないと判断した場合（ステップＳ１２４：Ｎｏ）、続くステップＳ１２５において、制御部２０は、実行中のジョブの現在の部の出力が完了するまでに用紙切れとなる可能性が高いか否かを判断する。
ここで、制御部２０は、使用中の給紙トレイの用紙の残枚数と、実行中のジョブの現在の部の出力が完了するまでの用紙の残枚数とを比較して、用紙切れとなる可能性が高いか否かを判断する。
【００７９】
現在の部の出力が完了するまでに用紙切れとなる可能性が高いと判断した場合（ステップＳ１２５：Ｙｅｓ）、続くステップＳ１２２において、制御部２０は、現在の部の出力が完了するまでに用紙切れとなる可能性が高いことを示す用紙切れ示唆情報を用紙サイズ関連情報として取得して、本処理を終了する。
一方、現在の部の出力が完了するまでに用紙切れとなる可能性が高くないと判断した場合（ステップＳ１２５：Ｎｏ）、続くステップＳ１２６において、制御部２０は、実行中のジョブの次の部の出力が完了するまでに用紙切れとなる可能性が高いか否かを判断する。
ここで、制御部２０は、使用中の給紙トレイの用紙の残枚数と、実行中のジョブの次の部の出力が完了するまでの用紙の残枚数とを比較して、用紙切れとなる可能性が高いか否かを判断する。
【００８０】
次の部の出力が完了するまでに用紙切れとなる可能性が高くないと判断した場合（ステップＳ１２６：Ｎｏ）、続くステップＳ１２７において、制御部２０は、用紙サイズ関連情報を取得せず、本処理を終了する。
一方、次の部の出力が完了するまでに用紙切れとなる可能性が高いと判断した場合（ステップＳ１２６：Ｙｅｓ）、続くステップＳ１２２において、制御部２０は、使用していた給紙トレイの用紙が次の部で無くなることを示す用紙切れ予測情報を用紙サイズ関連情報として取得して、本処理を終了する。
【００８１】
図３に戻って、ステップＳ１３において、制御部２０は、事前設定の再設定をするためサンプルを再計測するか否かを判断する。
ここで、制御部２０は、上述した第１判定処理により用紙サイズ関連情報が取得されていた場合、再計測すると判断し、第１判定処理により用紙サイズ関連情報が取得されていない場合、再計測しないと判断する。
【００８２】
そして、再計測しないと判断した場合（ステップＳ１３：Ｎｏ）、制御部２０は、ステップＳ１１に移行する。
一方、再計測すると判断した場合（ステップＳ１３：Ｙｅｓ）、続くステップＳ１４において、制御部２０は、サンプルの出力タイミングが部の区切りに設定されているかを判断する。
ここで、制御部２０は、第１判定処理により、用紙サイズ関連情報として用紙切れ予測情報（給紙トレイの用紙が次の部で無くなることを示す情報）を取得していた場合、サンプルの出力タイミングが部の区切りに設定されていると判断する。
【００８３】
そして、サンプルの出力タイミングが部の区切りに設定されていると判断した場合（ステップＳ１４：Ｙｅｓ）、続くステップＳ１５において、制御部２０は、実行中のジョブを現在の部の区切りまで実行し、停止する。また、このとき制御部２０は、給紙トレイを切り替える。
【００８４】
次いで、続くステップＳ１６において、制御部２０は、第１の用紙処理装置１００のサブトレイ１０３にサンプルを出力する。
【００８５】
次いで、続くステップＳ１６において、制御部２０は、画像形成装置１０の操作表示部１３にユーザーに事前設定の再設定を促すダイアログＧ２（図７等参照）の表示を行う。そして、ユーザーが第２の用紙処理装置２００の操作部２０６ａを操作して、サンプルを再計測した計測値を入力すると、第２の用紙処理装置制御部２１０は、これを受け付ける。なお、ダイアログＧ２においては、サンプルを再計測しない選択をすることもできる。この場合、前回の測定値がそのまま使用されることとなって、ステップＳ１１に移行する。
【００８６】
一方、上記ステップＳ１４において、サンプルの出力タイミングが部の区切りに設定されていないと判断した場合（ステップＳ１４：Ｎｏ）、続くステップＳ１８において、制御部２０は、サンプル出力モードが手動モードであるか否かを判断する。サンプル出力モードは、予めユーザーの任意で設定されている。
【００８７】
サンプル出力モードが手動モードであると判断した場合（ステップＳ１８：Ｙｅｓ）、続くステップＳ１９において、制御部２０は、画像形成装置１０の操作表示部１３にサンプル排出の有無を選択させるダイアログＧ１（図６等参照）を表示する。
【００８８】
次いで、ステップＳ２０において、制御部２０は、操作表示部１３に対してサンプル出力の指示がなされたか否かを判断し、サンプル出力の指示がなされない場合（ステップＳ２０：Ｎｏ）、後述のステップＳ２５に移行する。
一方、操作表示部１３に対してサンプル出力の指示がなされた場合（ステップＳ２０：Ｙｅｓ）、続くステップＳ２１において、制御部２０は、第１の用紙処理装置１００のサブトレイ１０３にサンプルを出力する。
【００８９】
次いで、続くステップＳ２２において、制御部２０は、画像形成装置１０の操作表示部１３にユーザーに事前設定の再設定を促すダイアログＧ２（図７等参照）の表示を行う。そして、ユーザーが第２の用紙処理装置２００の操作部２０６ａを操作して、サンプルを再計測した計測値を入力すると、第２の用紙処理装置制御部２１０は、これを受け付ける。
なお、ダイアログＧ２においては、サンプルを再計測しない選択をすることもできる。この場合、前回の測定値がそのまま使用されることとなり、後述のステップＳ２３〜ステップＳ２７を実行することなく、ステップＳ１１に移行する。
【００９０】
次いで、ステップＳ２３において、制御部２０は、装置内に滞留している用紙を活用するか否かを判定する第２判定処理を実行する。
【００９１】
ここで、図５に移行し、第２判定処理の制御手順について説明する。
先ず、ステップＳ２３１において、制御部２０は、今回入力された計測値と、記憶部２１４に記憶された前回入力された計測値との差異が、予め設定された閾値より大きいか否かを判断する。
そして、計測値の差異が閾値より大きいと判断した場合（ステップＳ２３１：Ｙｅｓ）、続くステップＳ２３２において、制御部２０は、装置内に滞留している用紙を活用しないと判定し、本処理を終了する。
一方、計測値の差異が閾値以下と判断した場合（ステップＳ２３１：Ｎｏ）、続くステップＳ２３３において、制御部２０は、装置内に滞留している用紙を活用すると判定し、本処理を終了する。
【００９２】
図３に戻って、ステップＳ２４において、制御部２０は、出力中の部を排出するか否かを判断する。
ここで、制御部２０は、上述した第２判定処理により装置内に滞留している用紙を活用しないと判定した場合、出力中の部を排出すると判断する。一方、上述した第２判定処理により装置内に滞留している用紙を活用すると判定した場合、出力中の部を排出しないと判断する。
【００９３】
そして、出力中の部を排出しないと判断した場合（ステップＳ２４：Ｎｏ）、続くステップＳ２５において、制御部２０は、出力中の部の途中からジョブを再開し、上記したステップＳ１１に移行する。
一方、出力中の部を排出すると判断した場合（ステップＳ２４：Ｙｅｓ）、続くステップＳ２６において、制御部２０は、装置内に滞留している用紙を排出し、続くステップＳ２７において、部の最初からジョブを再開し、上記したステップＳ１１に移行する。
【００９４】
図３〜５に示す制御を実行することで、制御部２０は、取得手段、再設定判断手段、サンプル排出手段、切り換え手段として機能し、第２の用紙処理装置制御部２１０は、設定手段、比較手段として機能している。また、操作表示部１３は、選択部、表示部として機能している。
図３〜５に示す制御によれば、ジョブの実行中に、所定要因（ＡＴＳの作動、給紙トレイの開放、環境変化）により用紙サイズが切り替わる際、その切り替わった用紙が給紙される前に、ユーザーに第２の用紙処理装置２００の用紙処理に対する再設定（即ち、サンプルの再計測）を促すことができることとなる。このため、用紙サイズの変化に対応可能となり、用紙処理の結果物の品質のばらつきを無くすことができる。
【００９５】
図６、７は、画像形成装置１０の操作表示部１３に表示されるダイアログの一例である。
【００９６】
図６は、サンプル排出モードが手動モードの場合において、ユーザーにサンプル排出の有無を選択させるダイアログＧ１である。
ダイアログＧ１では、「再設定（サンプル排出）を行いますか？」の質問文と、これに対する回答の選択肢として「はい」「いいえ」「キャンセル」が表示されている。
「はい」を選択した場合、サンプル排出が指示される。「いいえ」を選択した場合、サンプル排出が指示されず、前回の測定値のままジョブが再開される。また、「キャンセル」を選択した場合、ジョブがキャンセルされる。
【００９７】
図７は、サンプル排出後、ユーザーに第２の用紙処理装置２００の用紙処理に対する再設定を促す（サンプルの計測を促す）ためのダイアログＧ２である。
ダイアログＧ２では、「サンプル測定してください」の文章と、これに対する回答の選択肢として「はい」「いいえ」「キャンセル」が表示されている。
「はい」を選択した場合、サンプル測定に同意したこととなる。「いいえ」を選択した場合、サンプル測定に同意せず、前回の測定値がそのまま使用されることとなる。また、「キャンセル」を選択した場合、ジョブがキャンセルされる。
【００９８】
以上のように、本実施形態によれば、画像が形成された用紙に対して、所定の用紙処理に関する事前設定に基づいて所定の用紙処理を行う第２の用紙処理装置２００に接続される画像形成装置１０において、制御部２０は、所定の用紙処理を実行するジョブ中、用紙サイズの変化に関連する用紙サイズ関連情報を取得し、取得された用紙サイズ関連情報に基づいて、事前設定の再設定が必要か否かを判断し、事前設定の再設定が必要と判断された場合、ジョブの実行を中断した状態で、所定の用紙処理がなされる前の用紙をサンプルとしてサブトレイ１０３に排出させる。
このため、所定のジョブの実行中の用紙サイズの変化に基づいて、第２の用紙処理装置２００の事前設定の再設定が必要か否かを判断され、事前設定の再設定が必要と判断された場合、ジョブが停止した状態でサブトレイ１０３にサンプルが排出される。
よって、ジョブ途中で用紙サイズが切り替わった場合に、排出されたサンプルに基づいて再設定することができるので、用紙サイズの変動に対応でき、製品の品質を維持することができる。
【００９９】
また、本実施形態によれば、事前設定の再設定が必要と判断された場合、ユーザーにサンプルの排出の有無を選択させる操作表示部１３を備え、制御部２０は、操作表示部１３になされた指示に応じてサブトレイ１０３にサンプルを排出させる。
このため、ユーザーの任意で、サンプルの排出を行うことができることとなり、より適切な条件でサンプル排出ができる。
【０１００】
また、本実施形態によれば、サンプルの排出後、ユーザーに事前設定の再設定を促す表示を行う操作表示部１３を備える。
このため、サンプル排出後、ユーザーに対し操作を促すことができる。
【０１０１】
また、本実施形態によれば、制御部２０は、用紙サイズ関連情報として、使用していた給紙トレイが開放されたことを示す給紙トレイ開放情報、又は使用していた給紙トレイの用紙が無くなったことを示す用紙切れ情報を取得する。
このため、使用していた給紙トレイが開放、使用していた給紙トレイの用紙切れから、用紙サイズの変更を検知することができる。
【０１０２】
また、本実施形態によれば、制御部２０は、用紙サイズ関連情報として、温度及び湿度の少なくとも一方に規定以上の変化があったことを示す環境変化情報を取得する。
このため、温度及び湿度の変化から、用紙サイズの変更を検知することができる。
【０１０３】
また、本実施形態によれば、制御部２０は、温度及び湿度の値に所定の重みづけをした値を算出し、算出した値が予め設定された所定値以上であるか否かを判断することで環境変化情報を取得する。或いは、制御部２０は、算出した値が予め設定された所定値以上であり、且つ用紙の坪量及び種類が所定の条件を満たすか否かを判断することで環境変化情報を取得する。
このため、複数の変数から用紙サイズの変更を検知することができる。
【０１０４】
また、本実施形態によれば、制御部２０は、実行中のジョブの部の区切りにおいて、サブトレイ１０３にサンプルを排出させる。
このため、適切なタイミングでサンプル排出できることとなる。
【０１０５】
また、本実施形態によれば、制御部２０は、用紙サイズ関連情報として、使用していた給紙トレイの用紙が次の部で無くなることを示す用紙切れ予測情報を取得し、用紙切れ予測情報が取得された場合、実行中のジョブの部の区切りにおいて給紙トレイを切り替え、給紙トレイが切り替えられる際、サブトレイ１０３にサンプルを排出させる。
このため、使用していた給紙トレイの用紙が次の部で無くなる場合、適切なタイミングでサンプル排出できることとなる。
【０１０６】
また、本実施形態によれば、第２の用紙処理装置２００において、第２の用紙処理装置制御部２１０は、所定の用紙処理に関する事前設定を行い、事前設定の再設定を受け付け、受け付けた再設定の値と前回の事前設定の値とを比較し、その差異が予め設定された所定値より少ない場合、所定のジョブの継続を決定する。
このため、サンプル出力後、第２の用紙処理装置２００に再度計測値が入力された場合に、ジョブを継続するか否かを判断することができる。
【０１０７】
その他、本発明を逸脱しない限りにおいて、上記実施の形態と異なる実施の形態を採ることも可能である。
【０１０８】
例えば、上記実施形態においては、ユーザーが手動でサンプルの計測値を入力する構成を例示して説明しているが、再設定が必要と判断された後に、排出されたサンプルの用紙サイズを自動で計測する機構を備えた構成であっても良い。
【０１０９】
また、上記実施形態においては、サンプル排出モードが手動モードか自動モードかが予め設定されることとして説明したが、所定条件に応じて手動モードと自動モードの切り替えを行う構成としても良い。所定条件としては、例えば、サンプルの枚数などが挙げられ、具体的には、ジョブの枚数が５０枚未満であれば自動モードとし、それ以上であれば手動モードとする等の制御を行うことができる。
【０１１０】
また、上記実施形態においては、第２の用紙処理装置２００の記憶部２１４に、当該第２の用紙処理装置２００の用紙処理に関する事前情報を記憶しておき、計測値が入力された際に、第２の用紙処理装置制御部２１０が前回の計測値と今回入力された計測値を比較する構成を例示して説明したが、画像形成装置１０の記憶部２４に事前情報を記憶しておき、制御部２０において、前回の計測値と今回入力された計測値を比較する構成であっても良い。
【０１１１】
また、上記実施形態においては、第２判定処理を実行し、前回の計測値と今回入力された計測値を比較して出力中の部を排出するか否かを判断する構成を例示して説明したが、第２判定処理を実行することなく、出力中の部は全て排出する構成とすることもできる。その場合、新たに入力された計測値を反映させ、出力中の部の最初からジョブを再開することとなる。なお、このような第２判定処理を実行するか否か（計測値に関わらずそれまでの出力中の部を排出するか否か）の設定は、画像形成装置１０の操作表示部１３により設定可能である。
【０１１２】
また、サンプルを排出する排出部は、用紙処理の前段階の用紙（用紙束）を排出できるものであれば、サブトレイ１０３でなくても良い。
【０１１３】
また、第２判定処理をせず、差異に関わらず内部の用紙の廃棄を要求する構成であっても良い。
【符号の説明】
【０１１４】
１  画像形成システム
１０  画像形成装置
１２  給紙部
１３  操作表示部（選択部、表示部）
Ｇ１  ダイアログ
Ｇ２  ダイアログ
２０  制御部（取得手段、再設定判断手段、サンプル排出手段、切り換え手段）
２６  温湿度センサー
１００  第１の用紙処理装置
１１０  第１の用紙処理装置制御部
１０３  サブトレイ
２００  第２の用紙処理装置
２１０  第２の用紙処理装置制御部（設定手段、比較手段）
２０６  操作表示部
２０６ａ  操作部
２０６ｂ  表示部
【図１】
2015174436.tif 000003
【図２】
2015174436.tif 000004
【図３】
2015174436.tif 000005
【図４】
2015174436.tif 000006
【図５】
2015174436.tif 000007
【図６】
2015174436.tif 000008
【図７】
2015174436.tif 000009